(57)【要約】【課題】文字情報が中心となるドキュメントを記述すれば、自動的に関連する素材を挿入して動画を中心としたコンテンツを作成するコンテンツ生成装置を提供する。【解決手段】このコンテンツ生成装置は、静止画、動画や音等の素材を保持する素材ＤＢを有し、文字を主体としたドキュメントからキーワードを抽出し、このキーワードに関連する素材を前記素材ＤＢから抽出する。前記ドキュメントの表示順序をタイムラインとし、該ドキュメントから抽出されたキーワードのタイムライン位置に抽出した素材を合成してコンテンツを生成する。【選択図】図１
2006050469.tif 000002
【特許請求の範囲】
【請求項１】
文字を主体としたドキュメント中の文字列に関連する素材を選択し、該ドキュメントの文字列と該素材を合成して動画を生成するようにしたことを特徴とするコンテンツ生成装置。
【請求項２】
文字を主体としたドキュメントと、静止画、動画や音等の素材を保持する素材ＤＢと、前記ドキュメントからキーワードを抽出し、このキーワードに関連する素材を前記素材ＤＢから抽出するドキュメント解析手段と、前記ドキュメントの表示順序をタイムラインとし、また、該ドキュメントから抽出されたキーワードのタイムライン位置に、抽出した素材を合成してコンテンツを生成するコンテンツ生成手段と、を備えることを特徴とするコンテンツ生成装置。
【請求項３】
請求項２に記載のコンテンツ生成装置において、前記ドキュメント解析手段でキーワードを指定して素材を抽出するときに、前記素材ＤＢに保持する素材にメタ情報が付帯している場合には、該メタ情報に記憶されたキーワードと一致する素材を抽出するようにしたことを特徴とするコンテンツ生成装置。
【請求項４】
請求項３に記載のコンテンツ生成装置において、前記ドキュメント解析手段で、前記メタ情報に記録されたカテゴリが該キーワードを含む概念であれば、この素材を抽出するようにしたことを特徴とするコンテンツ生成装置。
【請求項５】
請求項４に記載のコンテンツ生成装置において、前記ドキュメント解析手段で、前記ドキュメントから抽出されたキーワードの限定条件と該キーワードとを条件にして、前記素材ＤＢから素材を抽出するようにしたことを特徴とするコンテンツ生成装置。
【請求項６】
請求項３、４または５に記載のコンテンツ生成装置において、前記メタ情報に当該素材の利用回数を記録するようにして、キーワードに対応する素材が複数抽出された場合には、利用回数の多い素材を優先して選択するようにしたことを特徴とするコンテンツ生成装置。
【請求項７】
請求項２に記載のコンテンツ生成装置において、前記ドキュメント解析手段でキーワードを指定して素材を抽出するときに、前記素材ＤＢに保持する素材にメタ情報が付帯していない場合には、素材の名称や作成記録日等を参照して抽出するようにしたことを特徴とするコンテンツ生成装置。
【請求項８】
請求項７に記載のコンテンツ生成装置において、前記ドキュメント解析手段で、キーワードに対応する素材が複数抽出された場合には、作成記録日が新しい素材を優先して選択するようにしたことを特徴とするコンテンツ生成装置。
【請求項９】
請求項２乃至８に記載のコンテンツ生成装置において、前記ドキュメント解析手段は、ドキュメントに含まれている文字情報の属性を抽出し、前記コンテンツ生成手段ではこの属性に応じた効果を動画へ反映するようにしたことを特徴とするコンテンツ生成装置。
【請求項１０】
請求項２乃至９に記載のコンテンツ生成装置において、前記ドキュメントには、カテゴリをタグとして埋め込めるようにして、前記コンテンツ生成手段では、文字情報としてはタグを表示せず、タグの埋め込まれたタイムライン位置に当該カテゴリに該当する素材を合成するようにしたことを特徴とするコンテンツ生成装置。
【請求項１１】
静止画、動画や音等の素材を保持する素材ＤＢを有し、文字を主体としたドキュメントからキーワードを抽出し、このキーワードに関連する素材を前記素材ＤＢから抽出し、前記ドキュメントの表示順序をタイムラインとして、該ドキュメントから抽出されたキーワードのタイムライン位置に抽出した素材を合成してコンテンツを生成することを特徴とするコンテンツ生成方法。
【請求項１２】
コンピュータに、請求項１乃至１０のいずれかに記載のコンテンツ生成装置の機能を実行させるためのプログラム。
【請求項１３】
請求項１２に記載のプログラムを記録したコンピュータ読み取り可能な記録媒体。
【発明の詳細な説明】
【技術分野】
【０００１】
本発明は、コンテンツ生成装置、コンテンツ生成方法、プログラムおよび記録媒体に関し、文字情報が中心となるドキュメントから動画を含むマルチメディアコンテンツを生成する技術に関する。
【背景技術】
【０００２】
従来、動画の時間軸に合わせて、静止画やテキストを所定のタイミングで表示するコンテンツを編集する装置が開発されている。
こうした編集装置では、表示される予め作成されたレイアウト（テンプレートやその配置位置）を選択し、次いで、素材選択画面から素材（動画、静止画、テキスト）を選択して、選択したレイアウトに選択された素材を張り付けて、表示開始時刻・終了時刻を設定したシナリオを作成することによりコンテンツを作成している。
【０００３】
このようなコンテンツで使用する素材は、まず、主体となる素材（以下、中心素材という）の検索条件を考えて、中心素材を保持するデータベースから検索する。次に、こうして求めた中心素材の内容をよく吟味し、中心素材に相応しい関係素材を得るための検索条件を考え、関係素材を保持するデータベースから目的の関係素材を検索する。
しかし、このような素材の検索では、関係素材の検索に際して、中心素材の内容を吟味して検索条件を再考しているため、検索に時間が掛かり、コンテンツの準備に長い時間を要していた。
【０００４】
このような問題点を解決するために、特許文献１の技術では、関係素材の検索における検索条件を自動的に生成して、検索を自動的に実行することができ、その結果、多くの人手を費やさずに素材を準備することができる。
【特許文献１】特許第３４９７０１８号公報
【発明の開示】
【発明が解決しようとする課題】
【０００５】
しかしながら、動画、静止画や音声情報等を使って、テレビやパソコンの表示装置上に情報を流そうとした場合、特許文献１に記載された技術によって素材を簡単に集められても、それらの素材を使ってコンテンツを作成するには、マルチメディアのコンテンツの編集技術に長けたユーザでなければ作成できないか、または、作成に時間がかかり過ぎるという問題がある。
一方、文字情報だけで情報を作成するのは、上記のような問題と比べればはるかにやさしく、誰にでもできることと思える。
【０００６】
本発明は、上記のような実情を考慮してなされたものであって、文字情報が中心となるドキュメントを記述すれば、自動的に関連する素材を挿入して動画を中心としたコンテンツを作成するコンテンツ生成装置、コンテンツ生成方法、プログラムおよび記録媒体を提供することを目的とする。
【課題を解決するための手段】
【０００７】
上記課題を解決するために、請求項１に記載の発明は、文字を主体としたドキュメント中の文字列に関連する素材を選択し、該ドキュメントの文字列と該素材を合成して動画を生成するようにしたことを特徴とする。
【０００８】
請求項２に記載の発明は、文字を主体としたドキュメントと、静止画、動画や音等の素材を保持する素材ＤＢと、前記ドキュメントからキーワードを抽出し、このキーワードに関連する素材を前記素材ＤＢから抽出するドキュメント解析手段と、前記ドキュメントの表示順序をタイムラインとし、また、該ドキュメントから抽出されたキーワードのタイムライン位置に、抽出した素材を合成してコンテンツを生成するコンテンツ生成手段と、を備えることを特徴とする。
【０００９】
請求項３に記載の発明は、請求項２に記載のコンテンツ生成装置において、前記ドキュメント解析手段でキーワードを指定して素材を抽出するときに、前記素材ＤＢに保持する素材にメタ情報が付帯している場合には、該メタ情報に記憶されたキーワードと一致する素材を抽出するようにしたことを特徴とする。
【００１０】
請求項４に記載の発明は、請求項３に記載のコンテンツ生成装置において、前記ドキュメント解析手段で、前記メタ情報に記録されたカテゴリが該キーワードを含む概念であれば、この素材を抽出するようにしたことを特徴とする。
【００１１】
請求項５に記載の発明は、請求項４に記載のコンテンツ生成装置において、前記ドキュメント解析手段で、前記ドキュメントから抽出されたキーワードの限定条件と該キーワードとを条件にして、前記素材ＤＢから素材を抽出するようにしたことを特徴とする。
【００１２】
請求項６に記載の発明は、請求項３、４または５に記載のコンテンツ生成装置において、前記メタ情報に当該素材の利用回数を記録するようにして、キーワードに対応する素材が複数抽出された場合には、利用回数の多い素材を優先して選択するようにしたことを特徴とする。
【００１３】
請求項７に記載の発明は、請求項２に記載のコンテンツ生成装置において、前記ドキュメント解析手段でキーワードを指定して素材を抽出するときに、前記素材ＤＢに保持する素材にメタ情報が付帯していない場合には、素材の名称や作成記録日等を参照して抽出するようにしたことを特徴とする。
【００１４】
請求項８に記載の発明は、請求項７に記載のコンテンツ生成装置において、前記ドキュメント解析手段で、キーワードに対応する素材が複数抽出された場合には、作成記録日が新しい素材を優先して選択するようにしたことを特徴とする。
【００１５】
請求項９に記載の発明は、請求項２乃至８に記載のコンテンツ生成装置において、前記ドキュメント解析手段は、ドキュメントに含まれている文字情報の属性を抽出し、前記コンテンツ生成手段ではこの属性に応じた効果を動画へ反映するようにしたことを特徴とする。
【００１６】
請求項１０に記載の発明は、請求項２乃至９に記載のコンテンツ生成装置において、前記ドキュメントには、カテゴリをタグとして埋め込めるようにして、前記コンテンツ生成手段では、文字情報としてはタグを表示せず、タグの埋め込まれたタイムライン位置に当該カテゴリに該当する素材を合成するようにしたことを特徴とする。
【００１７】
請求項１１に記載の発明は、静止画、動画や音等の素材を保持する素材ＤＢを有し、文字を主体としたドキュメントからキーワードを抽出し、このキーワードに関連する素材を前記素材ＤＢから抽出し、前記ドキュメントの表示順序をタイムラインとして、該ドキュメントから抽出されたキーワードのタイムライン位置に抽出した素材を合成してコンテンツを生成することを特徴とする。
【００１８】
請求項１２に記載の発明は、コンピュータに、請求項１乃至１０のいずれかに記載のコンテンツ生成装置の機能を実行させるためのプログラムである。
請求項１３に記載の発明は、請求項１２に記載のプログラムを記録したコンピュータ読み取り可能な記録媒体である。
【発明の効果】
【００１９】
本発明によれば、文字情報が中心となるドキュメントを記述すれば、自動的に関連する素材を挿入して動画を中心としたコンテンツを作成することができる。
【発明を実施するための最良の形態】
【００２０】
以下、図面を参照して本発明のコンテンツ生成装置に係る好適な実施形態について説明する。
図１は、本実施形態に係るコンテンツ生成装置の構成を示すブロック図である。図１において、コンテンツ生成装置は、コンテンツ生成手段１１、ドキュメント解析手段１２、レイアウト指定手段１３、ドキュメント記憶手段２１、素材ＤＢ（データベース）２２、コンテンツ記憶手段２３、レイアウトファイル２４から構成されている。
【００２１】
まず、コンテンツ生成装置で使用するデータについて説明する。
ドキュメント記憶手段２１は、動画像の生成対象となる文字情報のみのドキュメントを記憶しておくものであり、例えばハードディスクや光ディスク、半導体メモリ等により構成される。ドキュメントとしては、例えば、パワーポイント、ワード、テキスト、ＨＴＭＬなどにより作成されたドキュメントが対象となる。このドキュメント記憶手段２１は、生成対象となる文字情報を出力できるものであればどのようなものでもよい。
【００２２】
次に、素材ＤＢ（データベース）２２は、静止画像、動画像、音（音声）等のマルチメディア情報と、それぞれにメタ情報が付帯している素材を保持管理し、例えばハードディスクや半導体メモリ等により構成される。
各素材に付帯しているメタ情報には、素材がどのようなものであるかを特徴付けるキーワードあるいはカテゴリが記憶されている。また、メタ情報が付帯していない素材に対しては、素材のファイル名称や作成記録された日付をメタ情報とみなす。
さらに、このメタ情報を付帯できる素材に対しては、この素材の利用回数を蓄積しておく。
【００２３】
コンテンツ記憶手段２３は、ドキュメントと素材とから生成されたコンテンツを記憶するものであり、例えばハードディスクや光ディスク、半導体メモリ等により構成される。
レイアウトファイル２４は、タイトルや章・節名、文章や動画像を表示装置上のどの位置に配置するかを予めに決定しておき、レイアウト情報として保持する。
【００２４】
次に、コンテンツ生成装置の処理について説明する。
ユーザがコンテンツ生成装置を起動させると、コンテンツ生成手段１１が起動され、図２に示したような画面が表示される。同図において、３０はコンテンツの生成指示および指示に応じた結果の表示する画面であり、３１〜３４は操作指示ボタンである。このうち３１は生成された動画像等のコンテンツのレイアウトを指定するボタンであり、３２は動画像の生成対象となるドキュメントを指定するボタンであり、３３は指定されたドキュメント中のキーワードをそれ以外の文字列との区別がつくように表示させるボタンであり、３４はコンテンツを生成させ、コンテンツ記憶手段２３へ出力させる。３５は選択されたドキュメントの内容やキーワードの表示が行われる領域であり、３６はドキュメントの１つのキーワードに関連する素材一覧を表示する領域であり、３７は素材の属性（静止画、動画、音）が分かるアイコン（画像のときはサムネイル画像）が表示される領域であり、３８は素材一覧のうち当該キーワードに対応して使われる素材の詳細内容を表示する領域である。３６に表示された素材のうち、音を選択した場合には、３８の領域では音の再生が行われる。
【００２５】
ユーザは、まず、レイアウト指定ボタン３１を押下して、レイアウト指定手段１３を起動させる。レイアウト指定手段１３は、レイアウトファイル２４に登録されているレイアウト一覧を領域３５へ表示する。この領域３５には、図３に示したようなレイアウトのパターンが表示されるので、この中から適宜マウス等のポインタで選択する。また、レイアウトの既定値を設定しておけば最初に選択する必要ではなく、生成されたコンテンツを再生して検討し、満足がいかな場合にはレイアウトを選択しなおすようにしてもよい。
【００２６】
次に、ドキュメントボタン３２を押下して、ドキュメント記憶手段２１中の動画生成対象となるドキュメントを指定する。ドキュメントが指定されるとドキュメントの内容が領域３５に表示される。
【００２７】
次に、キーワード表示ボタンが押下されると、ドキュメント解析手段１２を起動する。
ドキュメント解析手段１２は、次の４つの機能を実行する。
【００２８】
（１）ドキュメント内の構成の解析：
ドキュメントの題名、章や節の名称とその位置を解析する。これらは、スーパーインポーズとして表示され、章の内容が動画として表示される。
【００２９】
（２）文字情報の属性の解析：
文字情報の属性（色、フォントの大きさ、種類）とその位置を解析する。これらの文字情報の属性は、効果として動画に反映される。
【００３０】
（３）ドキュメント中のキーワードとそれに対応する素材群の抽出：
素材ＤＢ２２の各素材に付帯するメタ情報を解析して、キーワードとカテゴリと素材の属性（静止画、動画、音の区別）を抽出し、それらと素材を特定するＩＤとを対応付けて記憶しておく。また、メタ情報が付帯していない場合には、素材の名称（ファイル名称）や作成記録日付をキーワードとして扱う。
この対応表を同一のキーワードを持つ素材をまとめて、キーワードリストを作成する。このキーワードリストは、キーワードに対して、素材のＩＤおよび素材の属性の対のリストを対応付けたものになっている。また、同じカテゴリを持つ素材をまとめて、カテゴリリストを作成する。このカテゴリリストは、カテゴリに対して、素材のＩＤおよび素材の属性の対のリストを対応付けたものになっている。
【００３１】
このキーワードリスト中にあるキーワードのうち、ドキュメント内にあるキーワードを抽出し、ドキュメント中に見つけたキーワードの位置と、キーワードリスト中のキーワードとを対応付けて記憶しておく。
また、カテゴリリスト中にあるカテゴリのうち、そのカテゴリに属するドキュメント中のキーワードを抽出し、ドキュメント中に見つけたキーワードの位置と、カテゴリリスト中のカテゴリとを対応付けて記憶しておく。
このような対応表において、１つのキーワードあるいは１つのカテゴリに対して複数の素材が対応しているときには、各素材の利用回数が多い順に並べる。または、素材の作成記録日の新しい順に並べるようにしてもよい。
【００３２】
（４）ドキュメント内に挿入されたタグの解析：
ドキュメント内に埋め込まれたタグを抽出し、このタグに示されるタグ名をカテゴリとみなして、このカテゴリに含まれるキーワードを持つ素材を素材ＤＢ２２から抽出する。
このタグ表現は、ドキュメント中に現れない記号列を用い、そのタグをドキュメント内に埋め込む。このタグを表現する記号列としては、例えば、＜タグ名＞あるいは＜！‐‐タグ名＞がある。
ドキュメント中のタグの位置と抽出された素材および素材の属性とを対として対応付けて記憶しておく。ここで抽出されたタグは、ドキュメントの内容を表示する動画にはあらわさず、抽出した素材だけが表示または音として再生される。
【００３３】
ドキュメント解析が終了すると、抽出したドキュメント中のキーワードに対して、抽出した素材の属性に応じてハイライト、色づけ等を施してキーワード以外の文字列と区別して領域３５に表示させる。
【００３４】
次に、ユーザが領域３５に表示されたドキュメント内のキーワードを選択すると、このキーワードに関連して抽出された素材一覧を領域３６へ表示する。
この一覧表示は、１つのキーワードに複数の素材が抽出されたときには、各素材の利用回数が多い順、または、素材の作成記録日の新しい順に並べて表示する。
ユーザがこの一覧から素材を選択すると、領域３８に素材の詳細が表示される。素材が音の場合には音が再生される。この選択した素材が所望の素材の時には、その素材の利用回数をカウントアップして、当該素材のメタ情報として更新する。
【００３５】
また、上述のように、抽出した素材の中から所望の素材を選択するのではなく、抽出された素材のうち優先順位の高い素材が選択されたものとして、コンテンツを生成するようにしてもよい。この場合の優先順位とは、素材の利用回数の高い素材または素材を作成記録した日付の新しい素材のことをいう。
【００３６】
ユーザがコンテンツ生成ボタン３４を押下すると、上述のようにして、ドキュメントから抽出したキーワードに対応する素材と、文字情報の属性とを用いて、指定されたレイアウトにしたがった動画によるコンテンツを作成し、コンテンツ記憶手段２３へ出力する。
このコンテンツは、ドキュメントの内容である文字列が表示画面上を流れるような状態の動画像を作成する。例えば、章を付したドキュメント１（図４（Ａ）参照）は動画像としては、ドキュメントの先頭から末尾の方向へ流れるように動画像が作成される。これをタイムラインで表現したものが図４（Ａ）の右の方に例示してある。また、静止画像を含むドキュメント２（図４（Ｂ）参照）も同様にタイムラインで作成される。
【００３７】
このように状態の動画像に対して、キーワードから抽出された素材は、そのキーワードの位置から次のキーワードが出現する位置まで、背景動画像として合成される。また、抽出された素材が音であれば、ＢＧＭ（Back Ground Music）として合成される。
また、ドキュメント中の文字に対しては、文字情報の属性（色、フォントの大きさやフォントの種類等）に応じた効果が出るような動画像として生成する。
さらに、ドキュメント中に埋め込まれたタグに対しては、このタグは文字列としては表示させず、このタグ名に対応して選択された素材を背景動画像あるいはＢＧＭとして合成する。
【００３８】
上記の実施形態のドキュメント解析手段１２では、素材ＤＢ２２に記憶されている素材に付帯されたメタ情報を解析してキーワードを求めてから、このキーワードがドキュメント内に存在するかを調べていた。
このキーワードを次の手順で抽出して、そのキーワードに対応する素材を抽出するようにしてもよい。
まず、形態素解析等を行って、ドキュメントからキーワードとその出現位置とを抽出する。
次に、このキーワードそれぞれについて、素材ＤＢ２２のメタ情報を参照して、同じキーワードを持つ素材、および当該キーワードを含むカテゴリを持つ素材を検索し、キーワードおよびその位置と、素材を特定するＩＤとその属性（静止画、動画、音等）との対とを対応付けたキーワードリストを作成する。
これ以降の処理は、上述したドキュメント解析手段１２と同様である。
【００３９】
また、ドキュメントに対して、構文解析および意味解析を行うようにして、抽出したキーワードに対する限定条件を抽出し、この限定条件をつけたキーワードにより素材ＤＢ２２を検索することによって、素材を抽出するようにしてもよい。
例えば、「今日は天気がいいですね。」という文からは「天気」というキーワードが抽出され、これに対して「天気がいい」ということから、「天気」をキーワードとする素材の中で「いい天気」という限定条件に合致する素材のみを抽出する。
【００４０】
次に、図５（Ａ）の文例「今日は天気がいいですね。でもにわか雨がふりました。７月２６日小石川事業所にて」を用いたコンテンツの生成を説明する。
素材ＤＢには、「天気」の動画、「雨」の静止画と音、「小石川」の静止画、「７月」の静止画、「海」の動画、「山」の動画のキーワードを有する素材があるものとする。
また、カテゴリ「夏」を持つ素材として、「７月」の静止画、「海」の動画、「山」の動画があるものとする。
【００４１】
文例からキーワードを抽出すると、「天気」、「雨」、「７月」、［小石川」の各キーワードとその位置が抽出される（図５（Ｂ））。この抽出されたキーワードをドキュメント中で表示したものが図５（Ｃ）である。
これらのキーワードに対して、それぞれのキーワードを持つ素材と、そのキーワードを含むカテゴリを持つ素材を検索すると、各キーワードに対して、それぞれ以下の素材が抽出される。
「天気」：動画の「天気」。
「雨」  ：静止画の「雨」と音の「雨」。
「７月」：静止画の「７月」と、「７月」を含む「夏」というカテゴリに含まれる動画の「海」と「山」。
［小石川」：静止画の「小石川」。
【００４２】
これらのうち複数の素材が抽出されたキーワードについては、素材一覧を表示して、所望の素材をユーザに選択させる。ただし、画像と音のように表現媒体が相違する場合には複数選択してもかまわない。
【００４３】
次に、ドキュメントから抽出したキーワードの位置へ、対応する素材を背景表示またはＢＧＭとして合成する。図５（Ｄ）は、文字情報と素材のタイムラインを示している。このようなタイムラインで示されたシナリオと指定されたレイアウトに基づいて、文字情報の動画と素材とを合成してコンテンツを生成する。
【００４４】
また、図６（Ａ）のようなドキュメントからは、図６（Ｂ）のような動画のコンテンツが生成される。
以上のように構成することにより、ドキュメントを書くだけで、関連する素材を含む動画を生成することができる。
【００４５】
さらに、本発明は上述した実施形態のみに限定されたものではない。上述した実施形態を構成する各機能をそれぞれプログラム化し、あらかじめＣＤ−ＲＯＭ等の記録媒体に書き込んでおき、このＣＤ−ＲＯＭをＣＤ−ＲＯＭドライブのような媒体駆動装置を搭載したコンピュータに装着して、これらのプログラムをコンピュータのメモリあるいは記憶装置に格納して、実行することによって、本発明の目的を達成することができる。
【００４６】
なお、記録媒体としては半導体媒体（例えば、ＲＯＭ、不揮発性メモリカード等）、光媒体（例えば、ＤＶＤ、ＭＯ、ＭＤ、ＣＤ−Ｒ等）、磁気媒体（例えば、磁気テープ、フレキシブルディスク等）のいずれであってもよい。
【００４７】
また、ロードしたプログラムの指示に基づき、オペレーティングシステムやアプリケーションプログラム等が実際の処理の一部または全部を行い、その処理によって上述した実施形態の機能が実現される場合も含まれる。
【００４８】
また、上述したプログラムをサーバコンピュータの磁気ディスク等の記憶装置に格納しておき、ネットワークで接続された利用者のコンピュータからダウンロードして頒布する場合、また、サーバコンピュータから配信して頒布する場合、このサーバコンピュータの記憶装置も本発明の記録媒体に含まれる。
このように、本発明の機能をプログラムして、記録媒体に記録し頒布することによって、コスト、可搬性、汎用性を向上させることができる。
【図面の簡単な説明】
【００４９】
【図１】本実施形態に係るコンテンツ生成装置の構成を示すブロック図である。
【図２】コンテンツ生成装置の作業画面例である。
【図３】表示されるときのレイアウト例である。
【図４】ドキュメントの文字列から作成される動画のタイムラインの例である。
【図５】ドキュメントから動画を生成したコンテンツの例である。
【図６】ドキュメントから動画を生成した他のコンテンツの例である。
【符号の説明】
【００５０】
１１…コンテンツ生成手段、１２…ドキュメント解析手段、１３…レイアウト指定手段、２１…ドキュメント記憶手段、２２…素材ＤＢ、２３…コンテンツ記憶手段、２４…レイアウトファイル。
【図１】
2006050469.tif 000003
【図２】
2006050469.tif 000004
【図３】
2006050469.tif 000005
【図４】
2006050469.tif 000006
【図５】
2006050469.tif 000007
【図６】
2006050469.tif 000008